(57)【特許請求の範囲】
【請求項１】
ライブラリ装置に着脱可能なマガジンであって、
複数のデータカートリッジを一列に収納可能な収納セルを複数個有し、
少なくとも１つの前記収納セルに、収納可能な最大個数の前記データカートリッジが収納されるのを規制する規制手段であって、本体が当該収納セルの外側に回動可能に配置されており、一端側に突出部を有し、回動中心を挟んだ他端側にレバーを有している規制手段と、当該収納セルの側面または底面に設けられた穴から当該収納セルの内部のカートリッジ収納領域内に前記突出部が突出するように前記規制手段を付勢する付勢手段と、を有し、
前記マガジンには、当該収納セルの前記マガジン内への収納時に前記突出部を前記カートリッジ収納領域外に退避させるように前記レバーを押す手段が設けられている
マガジン。
【請求項２】
各々の前記収納セルは複数の前記カートリッジ収納領域をそれぞれ有しており、
前記規制手段は、複数の前記収納セルの前記カートリッジ収納領域のうちの少なくとも１つを空き領域として確保するために前記データカートリッジの収納を規制する、請求の範囲第１項に記載のマガジン。
【請求項３】
前記規制手段によって規制された状態の前記収納セルには、１つのみの前記データカートリッジが収納される、請求の範囲第２項に記載のマガジン。
【請求項４】
前記規制手段による規制を解除することで、収納可能な最大個数の前記データカートリッジの全てが収納される、請求の範囲第１項ないし第３項のいずれか１項に記載のマガジン。
【発明の詳細な説明】
【技術分野】
【０００１】
本発明は、磁気テープ、磁気ディスク、光ディスク、あるいは光磁気ディスク等のデータカートリッジを一列に複数収納する収納セルを収納するマガジンに関する。
【背景技術】
【０００２】
特開２００５−２０９２７８号公報に示されているように、マガジンの複数のセル内にデータカートリッジを格納し、複数のデータカートリッジの中から所望のデータカートリッジを選択的に取り出して、ドライブ装置によってデータの読み取り／書き込みを行うライブラリ装置（データストレージシステム等と称される場合もある）が知られている。【０００３】
図１Ａは、本発明に関連するライブラリ装置の平面図である。図１Ｂは本発明に関連するライブラリ装置の正面図である。図２は本発明に関連するライブラリ装置の一例の外観斜視図である。【０００４】
図１Ａ、図１Ｂ及び図２に示す、本発明に関連するライブラリ装置は、データカートリッジ１１００を水平姿勢で積み重ねられた状態に収容する複数のセル１３００を有するマガジン１２００と、データカートリッジ１１００内の記録媒体に対してデータの読み取り／書き込みを行う２つのドライブ装置１６００と、データカートリッジ１１００の移送を行うアクセッサ機構１４００とを有している。【０００５】
このライブラリ装置は、２つのマガジン１２００がセル１３００の開口部が向き合うように対向配置されている。また、このライブラリ装置は、重ね合わされた２つのドライブ装置１６００が、それらのマガジン１２００の一方の端部の近傍に配置されている。そして、これら２つのマガジン１２００とドライブ装置１６００が略Ｕ字形を成すように配置されている。２つのマガジン１２００はセル１３００の開口部の開口方向はＸ方向と直交する方向に向け、かつ互いに対向した方向となっている。ドライブ装置１６００の開口方向は２つのマガジン１２００の開口方向のいずれとも異なるＸ方向である。【０００６】
このように、２つのマガジン１２００内の各セル１３００及びドライブ装置１６００の開口方向がいずれも異なる。よって、各セル１３００及びドライブ装置１６００との間でデータカートリッジ１１００の出し入れを行うために、アクセッサ機構１４００には、ピッカー機構を回転させるためのスイベル機構が設けられている。【０００７】
しかしながら、図１Ａ、図１Ｂ及び図２に示すライブラリ装置は、アクセッサ機構１４００の両側にマガジン１２００が配置されている。また、アクセッサ機構１４００にピッカー機構を回転させるためのスイベル機構が必要であるため、アクセッサ機構１４００が大型となる。このため、ライブラリ装置は、広い設置場所が必要となる。また、複雑な構成のアクセッサ機構１４００はコストを高めてしまうこととなる。【０００８】
そこで、いわゆる収納セル方式のセルを採用するとともに、マガジンとドライブ装置とのレイアウトを変更することが考えられる。収納セルとは、１つのセル内に複数のデータカートリッジを収納することができる方式のセルをいう。なお、以下、収納セルをディープセルと称するものとする。ライブラリ装置のレイアウトとしては、ディープセルを収納したマガジンと、このマガジンに対してドライブ装置を並列させ、ディープセルの開口方向とドライブ装置の開口方向とを一方向に揃えるレイアウトが考えられる。このレイアウトにより、マガジンを１つにまとめることができるとともに、スイベル機構が不要となったアクセッサ機構によってライブラリ装置の設置場所が少なくて済むようになる。【０００９】
ここで、ディープセルを用いたライブラリ装置におけるデータカートリッジの出し入れ方法について図３Ａ〜図３Ｆを用いて説明する。【００１０】
図３Ａ〜図３Ｆに示すライブラリ装置は、マガジン２２００とドライブ装置２６００とが隣接して配置されている。また、マガジン２２００内に収納されたディープセル２３００の開口部２３０５とドライブ装置２６００の開口部２６０５との開口方向は同じ方向を向いている。マガジン２２００には、５つのディープセル２３００が配列されており、各ディープセル２３００は一列に２つのデータカートリッジを収納可能である。よって、マガジン２２００は、最大１０個のデータカートリッジが可能である。しかしながら、ライブラリ装置においてマガジン２２００を用いるには、少なくとも１つの空き領域を設けておく必要があるため、マガジン２２００には、最大９個のデータカートリッジまでしか収納しないようにしている。以下、この理由をデータカートリッジの出し入れ方法と併せて説明する。【００１１】
ここでは、図３Ａに示すように、ディープセル２３００の奥に収納されているデータカートリッジＡをドライブ装置２６００に搬送する例について説明する。【００１２】
図３Ｂに示すように、アクセッサ機構２４００をデータカートリッジＡを収納しているディープセル２３００ｂの前に移動させる。ここで、ディープセル２３００ｂはデータカートリッジＡ及びデータカートリッジＢの２つのデータカートリッジを収納しており、データカートリッジＡは、データカートリッジＢの奥に収納されている。このため、データカートリッジＢが邪魔となり、直接データカートリッジＡにアクセスすることができない。そこで、一旦データカートリッジＢをディープセル２３００Ｂから排出してデータカートリッジＡにアクセス可能な状態にした後にデータカートリッジＡを取り出すことになる。【００１３】
まず、図３Ｂに示すようにアクセッサ機構２４００はデータカートリッジＢを抜き出す。データカートリッジＢを抜き出すことで不図示の付勢手段によりデータカートリッジＡは手前側に移動する。【００１４】
次に、図３Ｃに示すように、アクセッサ機構２４００はデータカートリッジＢを搭載してディープセル２３００Ｅの前に移動する。このディープセル２３００Ｅは一つのデータカートリッジＣしか収納していないため、空き領域２３０１を有する。【００１５】
次に、図３Ｄに示すように、アクセッサ機構２４００はデータカートリッジＢをディープセル２３００Ｅ内に収納する。データカートリッジＣは挿入されてきたデータカートリッジＢに押されて空き領域２３０１の位置に移動する。【００１６】
次に、図３Ｅに示すように、アクセッサ機構２４００は再びディープセル２３００Ｂの前に移動する。データカートリッジＡは手前側に移動しているため、アクセッサ機構２４００はデータカートリッジＡをディープセル２３００Ｂ内から抜き出すことができる。【００１７】
最後にデータカートリッジＡを搭載したアクセッサ機構２４００は、図３Ｆに示すように、ドライブ装置２６００の前まで移動し、データカートリッジＡをドライブ装置２６００に挿入して動作を終了する。
【発明の開示】
【００１８】
上述のように、ディープセルを収納したマガジンを用いたライブラリ装置の場合、ディープセルの奥に収納されたデータカートリッジにアクセスするためには、その手前に収納されているデータカートリッジを一旦退避させるための空き領域が必ず必要となる。
【００１９】
しかしながら、ディープセルは基本的にはどれも複数のデータカートリッジを収納可能であるため、ユーザは、上述のような事情を認識することなく、収納可能な最大量のデータカートリッジをマガジン内に収納してしまう場合が考えられる。また、ユーザが空き領域が必要であるとの事情を認識していたとしても、過失によって収納可能な最大量のデータカートリッジをマガジン内に収納してしまう場合も考えられる。
【００２０】
そこで、本発明は、収納可能な最大個数のデータカートリッジを収納してしまうことを未然に防止することができる収納セルを有するマガジンを提供することを目的とする。
【００２１】
上記目的を達成するため、本発明のマガジンは、ライブラリ装置に着脱可能なマガジンであって、複数のデータカートリッジを一列に収納可能な収納セルを複数個有し、少なくとも１つの収納セルに、収納可能な最大個数のデータカートリッジが収納されるのを規制する規制手段であって、本体が当該収納セルの外側に回動可能に配置されており、一端側に突出部を有し、回動中心を挟んだ他端側にレバーを有している規制手段と、当該収納セルの側面または底面に設けられた穴から当該収納セルの内部のカートリッジ収納領域内に突出部が突出するように規制手段を付勢する付勢手段と、を有し、マガジンには、当該収納セルのマガジン内への収納時に突出部をカートリッジ収納領域外に退避させるようにレバーを押す手段が設けられている。
【００２２】
各々の収納セルは複数のカートリッジ収納領域をそれぞれ有しており、規制手段は、複数の収納セルのカートリッジ収納領域のうちの少なくとも１つを空き領域として確保するためにデータカートリッジの収納を規制する。
【００２３】
本発明のマガジンによれば、収納可能な最大個数のデータカートリッジを収納してしまうことを未然に防止することができる。
【図面の簡単な説明】
【００２４】
【図１Ａ】本発明に関連するライブラリ装置の平面図である。
【図１Ｂ】本発明に関連するライブラリ装置の正面図である。
【図２】本発明に関連するライブラリ装置の一例の外観斜視図である。
【図３Ａ】本発明に関連するディープセルを用いるライブラリ装置におけるデータカートリッジＡの出し入れの方法を説明するための図である。
【図３Ｂ】本発明に関連するディープセルを用いるライブラリ装置におけるデータカートリッジＡの出し入れの方法を説明するための図であり、データカートリッジＢを抜き出した状態を示す。
【図３Ｃ】本発明に関連するディープセルを用いるライブラリ装置におけるデータカートリッジＡの出し入れの方法を説明するための図であり、データカートリッジＢを空き領域を有するディープセルの前に移動させた状態を示す。
【図３Ｄ】本発明に関連するディープセルを用いるライブラリ装置におけるデータカートリッジＡの出し入れの方法を説明するための図であり、データカートリッジＢをディープセル内に収納することでデータカートリッジＣが空き領域に移動した状態を示す。
【図３Ｅ】本発明に関連するディープセルを用いるライブラリ装置におけるデータカートリッジＡの出し入れの方法を説明するための図であり、データカートリッジＡを抜き出した状態を示す。
【図３Ｆ】本発明に関連するディープセルを用いるライブラリ装置におけるデータカートリッジＡの出し入れの方法を説明するための図であり、データカートリッジＡをドライブ装置に挿入して移動動作を終了した状態である。
【図４Ａ】本発明のライブラリ装置の一実施形態の平面図である。
【図４Ｂ】本発明のライブラリ装置の一実施形態の正面図である。
【図５】本発明のライブラリ装置の一実施形態の外観斜視図である。
【図６】アクセッサ機構の構成を示す斜視図である。
【図７Ａ】本発明のディープセルの一実施形態の機構を説明するための模式的な平面図であり、規制部材の当接部がディープセルの外側に位置した状態を示したものである。
【図７Ｂ】本発明のディープセルの一実施形態の機構を説明するための模式的な平面図であり、規制部材の当接部がディープセルの内側に位置した状態を示したものである。
【図８Ａ】ディープセル内にデータカートリッジを収納していない状態における、ディープセルの基本的な機構を説明するための斜視図である。
【図８Ｂ】ディープセル内に１個のデータカートリッジを収納した状態における、ディープセルの基本的な機構を説明するための斜視図である。
【図８Ｃ】ディープセル内に２個のデータカートリッジを収納した状態における、ディープセルの基本的な機構を説明するための斜視図である。
【図９】本発明のマガジンの一実施形態の透過斜視図である。
【図１０Ａ】内部に突部材を有する本発明のマガジンの他の実施形態の透過平面図である。
【図１０Ｂ】図１０Ａに示す本発明のマガジン内にディープセルを収納した状態の示す透過平面図である。
【発明を実施するための最良の形態】
【００２５】
次に、図面を参照しながら本発明の実施の形態について説明する。【００２６】
なお、１つのセル内に複数のデータカートリッジを収納することができる方式のセルである収納セルを、以下の説明において、ディープセルと称するものとする。【００２７】
図４Ａは本実施形態のライブラリ装置の平面図である。図４Ｂは本実施形態のライブラリ装置の正面図である。図５は本実施形態のライブラリ装置の外観斜視図である。図６は、アクセッサ機構の構成を示す斜視図である。図７Ａ及び図７Ｂは本実施形態のディープセルの機構を説明するための模式的な平面図である。図８Ａ〜図８Ｃはディープセルの基本的な機構を説明するための斜視図である。また、図９はマガジンの透過斜視図である。なお、図８Ａ〜図８Ｃはディープセルの基本的な機構を説明するため、図９に示す規制部材は省略している。【００２８】
本実施形態のライブラリ装置は、マガジン２００と、ドライブ装置６００と、アクセッサ機構４００とを有する。マガジン２００は、複数のデータカートリッジ１００を一列に収納するディープセル３００を有する。ドライブ装置６００は、データカートリッジ１００内の記録媒体に対してデータの読み取り／書き込みを行う。アクセッサ機構４００は、データカートリッジ１００の移送を行う。【００２９】
本実施形態では、１つのマガジン２００とドライブ装置６００とは互いに隣接して配置されている。また、マガジン２００内に収納されたディープセル３００の開口部３０５とドライブ装置６００の開口部６０５との開口方向は同じ方向を向いている。
（アクセッサ機構）
アクセッサ機構４００は、駆動部４０１により往復移動可能な構成となっており、また、ピッカーフレーム５１０を搭載している。このピッカーフレーム５１０内にはピッカー機構５００がＹ方向に移動可能に搭載されている。【００３０】
駆動部４０１は、モータおよび駆動ギア列からなり、この駆動ギア列のファイナルギヤがＸ方向に延びたラック７００と係合している。駆動部４０１のモータを正逆方向に回転駆動させると、アクセッサ機構４００は、その駆動力によって、ガイドレール４５７に沿って図示Ｘ方向に往復移動する。なお、Ｘ方向へのアクセッサ機構４００の移動機構は、正確な位置決めが可能であれば、周知のタイミングベルトとプーリの組み合わせにより構成されているものであってもよい。【００３１】
また、本実施形態では、アクセッサ機構４００は水平方向にのみ移動するものとして説明しているが、マガジン２００が積層されて多段化された場合には垂直方向に移動可能な機構を備えることとなる。
（ピッカー機構）
ピッカー機構５００は、データカートリッジ１００を保持してこのデータカートリッジ１００をマガジン２００のディープセル３００やドライブ装置６００に対して出し入れする動作を行う。ピッカー機構５００を搭載したアクセッサ機構４００は、そのような動作によって、データカートリッジ１００を、ディープセル３００とドライブ装置６００との間、各ディープセル３００の間、あるいは各ドライブ装置６００の間で移送することが可能である。【００３２】
ピッカー機構５００は、ピッカー駆動モータ５３０を収納したピッカー本体５０１を有する。このピッカー本体５０１には、ディープセル３００内からデータカートリッジ１００を引き抜くためのピッカーアーム５２１が設けられている。
（ディープセル）
ディープセル３００は、図７Ａに示すように、長手方向に向けて一列に２つのデータカートリッジ１００を収納可能である。ディープセル３００は、データカートリッジ１００が出し入れされる開口部３０５が一端側に形成されており、ディープセル３００内部に、開口部３０５側から順に手前側収納領域３０５ａ、奥側収納領域３０５ｂを有する。すなわち、ディープセル３００は、手前側収納領域３０５ａ及び奥側収納領域３０５ｂのそれぞれにデータカートリッジ１００を一つずつ収納し、最大２個のデータカートリッジ１００を収納することができる。【００３３】
ここで、まず、本実施形態のディープセル３００の特徴部分である規制部材３０１について図７Ａ及び図７Ｂを用いて説明する。【００３４】
ディープセル３００の側面３０４であって奥側収納領域３０５ｂに対応する位置には規制部材３０１が設けられているとともに穴３０２が形成されている。規制部材３０１は、当接部３０１ａと、退避手段であるレバー３０１ｂと、付勢手段であるバネ部材３０１ｃとを有する。【００３５】
規制部材３０１は、その本体がディープセル３００の外側に配置されている。また、規制部材３０１は、回転中心Ｃを中心に回動可能に設けられている。規制部材３０１の一端側には当接部３０１ａが設けられ、回転中心Ｃを挟んだ他端側にはレバー３０１ｂが設けられている。【００３６】
規制部材３０１は、通常、図７Ｂに示すように、バネ部材３０１ｃにより付勢されることで当接部３０１ａを、ディープセル３００の側面３０４に形成された穴３０２からディープセル３００の内部の奥側収納領域３０５ｂ内に突出させている。バネ部材３０１ｃによる付勢力に反してレバー３０１ｂを矢印Ａ方向に押すことで、規制部材３０１は回転中心Ｃを中心に回動し、当接部３０１ａは矢印Ｂ１方向へと移動する。レバー３０１ｂを側面３０４に突き当たるまで押すことで、図７Ａに示すように、当接部３０１ａを奥側収納領域３０５ｂ内からディープセル３００外へと退避させることができる。レバー３０１ｂに対する押力を解除すると、再びバネ部材３０１ｃの付勢力により規制部材３０１は回転中心Ｃを中心に矢印Ｂ２方向に回動し、その結果、図７Ｂに示すように、当接部３０１ａが穴３０２からディープセル３００の内部に突出することとなる。【００３７】
当接部３０１ａがディープセル３００外に退避している状態では、図７Ａに示すように、ディープセル３００は手前側収納領域３０５ａ及び奥側収納領域３０５ｂのいずれにもデータカートリッジ１００を収納できる。【００３８】
一方、当接部３０１ａがディープセル３００の内部に突出した状態では、図７Ｂに示すように、データカートリッジ１００は当接部３０１ａが邪魔となり奥側収納領域３０５ｂには収納することができない。よって、この場合ディープセル３００は手前側収納領域３０５ａにのみデータカートリッジ１００を収納することができる。すなわち、レバー３０１ｂを押していない状態のディープセル３００は、ユーザが誤ってデータカートリッジ１００を２個収納するのを未然に防止し、確実に奥側収納領域３０５ｂを空き領域とすることができる。【００３９】
なお、本実施形態では、規制部材３０１は、ディープセル３００の側面３０４に設けた構成を示したが、底面３０３に設けてもよい。この場合、当接部３０１ａが突出可能なように底面３０３に穴３０２が形成されることとなる。【００４０】
また、本実施形態では、ディープセル３００内に突出する当接部３０１ａを有する規制部材３０１を一例に挙げたが、確実に空き領域を設けるためのディープセルの構成はこれに限定されるものではない。よって、奥側収納領域３０５ｂにデータカートリッジ１００が収納できないことをユーザに認識させることができる構成であればどのようなものであってもよいが、機械的な構成とするのが好ましい。【００４１】
奥側収納領域３０５ｂ内にデータカートリッジ１００が挿入されたことを検出するセンサと、このセンサからの信号に基づき、音あるいは光によってユーザに奥側収納領域３０５ｂ内にデータカートリッジ１００が誤挿入されようとしていることを警告する方式も考えられるが、この方式は適当とはいえない。音あるいは光による警告にユーザが気づかなかったり、あるいは無視した場合には、確実に空き領域を設けることができないからである。よって、センサで誤挿入を検出した場合、ディープセル３００内に規制部材を突出させて、当該規制部材にデータカートリッジ１００が邪魔されてそれ以上挿入できないような機械的な構成と組み合わせるのが好ましい。【００４２】
また、本実施形態のディープセル３００は最大２個のデータカートリッジ１００を収納可能な構成であるが、本発明のディープセルはこれに限定されるものではない。すなわち、本発明のディープセルは３個以上のデータカートリッジを１列に収納可能な構成であってもよい。【００４３】
なお、例えば、３個以上のデータカートリッジを収納可能なディープセルの場合、規制部材による規制は１つのみのデータカートリッジを収納でき、２個以上のデータカートリッジは収納できないようにしておいてもよい。例えば、３個のデータカートリッジを収納するディープセルにおいて、一番奥のデータカートリッジにピッカー機構がアクセスしようとする場合、手前の２個のデータカートリッジを一旦退避させておかなければならない。これら退避させるべきデータカートリッジを一時的に収納するためには、データカートリッジ２個分の空き領域が必要となる。よって、この２個分の空き領域を１つのディープセルに設けようとする場合、規制部材によって１つのみのデータカートリッジが収納されるようにしておく必要がある。このため、３個のデータカートリッジを収納可能なディープセルの場合、２個のデータカートリッジは収納できないようにしておくのが好ましい。【００４４】
もっとも、データカートリッジ２個分の空き領域を２個のディープセルを同時に使用することで設けるのであれば、各ディープセルにそれぞれ１つずつ退避させればよい。よって、このような使用方法とする場合には、ディープセルが最大３個収納可能であるところを、規制部材によって２個だけ収納可能なようにしておいてもよい。【００４５】
また、本実施形態では、奥側収納領域３０５ｂ内に当接部３０１ａが突出する構成を例に示したが本発明はこれに限定されるものではなく、手前側収納領域３０５ａ内に当接部３０１ａが突出する構成としてもよい。この場合、奥側収納領域３０５ｂにデータカートリッジ１００を収納する際にはレバー３０１ｂを押しておくことで当接部３０１ａを退避させておく。そして、奥側収納領域３０５ｂにデータカートリッジ１００を収納した後にレバー３０１ｂを押すのをやめて当接部３０１ａを手前側収納領域３０５ａ内に突出させる。これにより、さらにデータカートリッジ１００を手前側収納領域３０５ａ内に収納しようとしても当接部３０１ａが邪魔となり、データカートリッジ１００が２個収納されてしまうのを未然に防止できる。なお、この構成の場合、奥側収納領域３０５ｂにデータカートリッジ１００を保持しておく手段をディープセル３００に設けることが必要となる。また、ディープセル３００をマガジン２００内に収納することでレバー３０１ｂが押されて当接部３０１ａが自動的に退避させられるような手段をマガジン２００に設けておくことが好ましい。これは、一時的に退避させるデータカートリッジが手前側収納領域３０５ａ内に退避可能なようにするためである。【００４６】
次に、図８Ａ〜図８Ｃを用いてディープセル３００のその他の基本的な構成について説明する。【００４７】
ディープセル３００は、図８Ａに示すように、その底面３０３に、データカートリッジ１００を開口部３０５側に付勢するための定荷重バネ３１０を有する。【００４８】
定荷重バネ３１０は、一定の曲率で密着巻きされた薄板で、その外端部を直線に引き延ばして使用するバネであり、荷重がストロークによらず、ほぼ一定となる特性を有する。図８Ｂのように１個のデータカートリッジ１００がディープセル３００内に収納されている場合と、図８Ｃのように２個のデータカートリッジ１００が収納されている場合のいずれにおいても、ほぼ同じ荷重をデータカートリッジ１００に付与する。なお、データカートリッジ１００を開口部３０５側に付勢するための手段としては定荷重バネ３１０に限定されるものではなく、通常のコイルバネ等であってもよい。
（マガジン）
マガジン２００は、複数のディープセル３００を収納し、これら複数のディープセル３００をひとまとめにして取り扱うことが可能な収納容器である。ディープセル３００はマガジン２００内に並列に収納され、図９に示す例では、５つのディープセル３００Ａ〜３００Ｅが収納されている。マガジン２００内に収納されたディープセル３００はマガジン２００の開口２０５とディープセル３００の開口部３０５とが同一の方向を向いて開口している。【００４９】
図９に示す例では、５つのディープセル３００のうち、一番奥に位置するディープセル３００Ｅはデータカートリッジ１００を一つしか収納しておらず、ディープセル３００Ｅは奥側収納領域３０５ｂは空き領域３０９となっている。【００５０】
上述のディープセルの説明では、空き領域３０９を設けるために、ディープセル３００に規制部材３０１を設けた例について説明した。しかし、ディープセルに上述の構成を設けるのではなく、マガジン２００側に規制部材と同様の機能を果たす部材を設けてもよい。このような機能を備えたマガジンの一例を図１０に示す。【００５１】
図１０Ａに示すマガジンは開口２０５の反対側の面となる背面２０１に、マガジン内に向かって突出した突出部材２０６を有する。【００５２】
一方、図１０Ｂに示すようにディープセル３００の後面３０７には突出部材２０６が進入可能な穴３０６が形成されている。すなわち、突出部材２０６が設けられた位置にディープセル３００をセットした場合、突出部材２０６がディープセル３００内に進入することとなる。【００５３】
ディープセル３００Ｅの奥側収納領域３０５ｂに空き領域を設けようとしたにもかかわらず、誤ってディープセル３００Ｅに２つのデータカートリッジ１００を挿入してしまったとする。この状態でディープセル３００Ｅをセットすると、ディープセル３００Ｅ内に突出部材２０６が進入することでデータカートリッジ１００は押し出され、きちんとマガジン２００内に収納することができず、データカートリッジ１００の一部が飛び出した状態となる。このような状態では、ライブラリ装置１の挿入口１ａ（図５参照）にマガジン２００を差し込もうとしても、挿入口１ａの開口幅はマガジン２００の幅Ｗよりも若干大きめにしているだけであるので、飛び出したデータカートリッジ１００が邪魔で差し込むことができない。これによりユーザがディープセル３００Ｅに誤ってデータカートリッジ１００を２個挿入してしまっていたことに気づく。そして、ユーザがディープセル３００Ｅから１個データカートリッジ１００を抜き出すことでマガジン２００をライブラリ装置１の挿入口１ａに挿入することができることとなる。【００５４】
このように、マガジン２００側に突出部材のような機械的な部材を設けた構成としても、確実に空き領域を設けることが可能である。
（データカートリッジ）
データカートリッジ１００は、例えばＬＡＮ（Ｌｏｃａｌ  Ａｒｅａ  Ｎｅｔｗｏｒｋ）やインターネット等の通信回線を介してライブラリ装置に接続されたコンピュータ（不図示）が共有するデータを読み書きする記録媒体である。そのような記録媒体としては、例えば、ＬＴＯやＤＬＴ等のテープメディア、それぞれハウジング内に収容されているＤＶＤ、光磁気ディスク（ＭＯ）、あるいはＭＤ等のディスクメディア等がある。【００５５】
本実施形態のデータカートリッジ１００は、図７Ｂに示すように、第１の側面１０４の後面１０３付近には係合穴１０２が形成されている。係合穴１０２はピッカーアーム５２１が係合するための穴である。
（ドライブ装置）
ドライブ装置６００は、ドライブ装置６００に装填されたデータカートリッジ１００に書き込まれたデータを読み取り、また、コンピュータのオペレータが更新したデータをデータカートリッジ１００に書きこむリード／ライト装置である。【００５６】
以上、本実施形態のディープセル３００あるいはマガジン２００によれば、収納可能な最大個数のデータカートリッジ１００を収納してしまうことを未然に防止することができる。【００５７】
以上、実施形態を参照して本願発明を説明したが、本願発明は上記実施形態に限定されるものではない。本願発明の構成や詳細には、本願発明のスコープ内で当業者が理解し得る様々な変更をすることができる。【００５８】
この出願は、２００８年９月２８日に出願された日本出願特願２００７−２５４０５１号を基礎として優先権の利益を主張するものであり、その開示の全てを引用によって取り込む。
【図１Ａ】
0005605826.tif 000002
【図１Ｂ】
0005605826.tif 000003
【図２】
0005605826.tif 000004
【図３Ａ】
0005605826.tif 000005
【図３Ｂ】
0005605826.tif 000006
【図３Ｃ】
0005605826.tif 000007
【図３Ｄ】
0005605826.tif 000008
【図３Ｅ】
0005605826.tif 000009
【図３Ｆ】
0005605826.tif 000010
【図４Ａ】
0005605826.tif 000011
【図４Ｂ】
0005605826.tif 000012
【図５】
0005605826.tif 000013
【図６】
0005605826.tif 000014
【図７Ａ】
0005605826.tif 000015
【図７Ｂ】
0005605826.tif 000016
【図８Ａ】
0005605826.tif 000017
【図８Ｂ】
0005605826.tif 000018
【図８Ｃ】
0005605826.tif 000019
【図９】
0005605826.tif 000020
【図１０Ａ】
0005605826.tif 000021
【図１０Ｂ】
0005605826.tif 000022